(57)【要約】【課題】０次光が存在する画像表示装置であっても、０次光からの距離に応じて画像を領域分けすることにより、領域ごとの輝度ムラを効果的に抑制可能な画像表示装置を提供する。【解決手段】  パラメータ設定部４５は、光拡散部１７からの光の０次光の０次光照射領域３１０にある像からの距離が異なる複数の画像領域３２０、３３０、３４０毎に、予め用意された原画像情報を調整するためのパラメータを設定する。画像情報生成部４７は、設定されたパラメータに基づいて、原画像情報を画像領域毎に調整して、表示画像情報を生成する。画像形成部１３は、生成された表示画像情報に基づいて、発光部１１からの光を変調する。【選択図】図１
2016177007.tif 000002
【特許請求の範囲】
【請求項１】
光源からの光の０次光の像からの距離が異なる複数の画像領域毎に、予め用意された原画像情報を調整するためのパラメータを設定するパラメータ設定部と、
前記設定されたパラメータに基づいて、前記原画像情報を前記画像領域毎に調整して、表示画像情報を生成する画像情報生成部と、
前記生成された表示画像情報に基づいて、前記光源からの光を変調する画像形成部と、
を有する画像表示装置。
【請求項２】
前記パラメータ設定部は、第１の画像領域が第２の前記画像領域に比べて前記０次光の像から遠い場合に、前記第２の画像領域の輝度を高めるように、前記パラメータを前記第１の画像領域に設定する、
請求項１に記載の画像表示装置。
【請求項３】
前記パラメータ設定部は、第１の画像領域が第２の前記画像領域に比べて前記０次光の像から近い場合に、前記第２の画像領域の輝度を低下させるように、前記パラメータを前記第１の画像領域に設定する、
請求項１に記載の画像表示装置。
【請求項４】
前記画像情報生成部は、前記原画像情報からホログラム画像情報を生成し、
前記画像形成部は、前記ホログラム画像情報について位相変調してホログラム回折光を生成する、
請求項１〜３のいずれか１つに記載の画像表示装置。
【請求項５】
前記画像領域毎に、相互に異なるタイミングで表示される複数の前記原画像情報が予め用意され、
前記画像形成部は、前記複数の画像領域の前記原画像情報を、それぞれに規定されたタイミングで位相変調する、
請求項１〜４のいずれか１つに記載の画像表示装置。
【請求項６】
前記原画像情報には、輝度調整用画像が含まれ、
前記画像情報生成部は、前記選択されたパラメータを基に、前記輝度調整用画像を設定する、
請求項１〜５のいずれか１つに記載の画像表示装置。
【請求項７】
前記画像形成部によって出力される前記輝度調整用画像の光強度を検出する受光部と、
前記受光部の検出結果を基に、前記発光部の光出力を制御する発光制御部と
を有する
請求項６に記載の画像表示装置。
【請求項８】
前記パラメータは、前記原画像情報が示す画像の形状、輝度、使用ピクセル数および階調の少なくとも一つを設定するためのパラメータである、
請求項１〜７のいずれか１つに記載の画像表示装置。
【発明の詳細な説明】
【技術分野】
【０００１】
本発明は、原画像についてのパラメータを調整し、光源からの光を変調することにより画像を表示する画像表示装置に関するものである。
【背景技術】
【０００２】
近年、車両前方に様々な情報を表示させるヘッドアップディスプレイ（ＨＵＤ）が広く用いられてきている。このヘッドアップディスプレイは、ホログラム回折格子を用いて、所定の画像をコンバイナ、ウィンドシールドの前方に表示するものである。これにより、運転者が運転の際に必要な情報を、通常視界に入る前方の景色とともに確認することができる。
【０００３】
一方、通常の画像表示装置では、表示画像について複数のブロックに分割してそれぞれ調整して表示するものが用いられてきた。例えば特許文献１では、光源から出光される光を映像信号に応じて変調して出射する表示パネルを複数の領域に分けて、その領域ごとに輝度を調整することで、表示画像の位置によって輝度が異なる輝度ムラの補正を行う構成が開示されている。
【先行技術文献】
【特許文献】
【０００４】
【特許文献１】国際公開ＷＯ２０１３／０２７２７７号公報
【発明の概要】
【発明が解決しようとする課題】
【０００５】
ホログラム回折格子を用いた画像投影装置においては、回折効果によって０次光、±１次光等の回折光が発生する。その際、０次光については画像形成には寄与させないことが通例であるが、光自体は存在するため、形成された画像に対して０次光の影響が発生する。しかしながら、０次光そのものは画像形成への寄与させないようにすることができても、画像投影装置に用いる１次光に対する０次光の影響を考慮した画像投影装置は用いられてこなかった。
【０００６】
ホログラム回折格子を用いない一般的な画像表示装置においては、特許文献１のように複数の領域に分けて輝度を調節するということも行われてきたが、ホログラム回折格子を用いていないことから、０次光の影響が考慮されておらず、０次光の影響を反映した適切な領域分けおよび画像調整はこれまで行われてこなかった。
【０００７】
本発明はかかる事情に鑑みてなされたものであり、その目的は、０次光が存在する画像表示装置であっても、０次光からの距離に応じて画像を領域分けすることにより、領域ごとの輝度ムラを効果的に抑制可能な画像表示装置を提供することにある。
【課題を解決するための手段】
【０００８】
本発明に係る画像表示装置は、光源からの光の０次光の像からの距離が異なる複数の画像領域毎に、予め用意された原画像情報を調整するためのパラメータを設定するパラメータ設定部と、前記設定されたパラメータに基づいて、前記原画像情報を前記画像領域毎に調整して、表示画像情報を生成する画像情報生成部と、前記生成された表示画像情報に基づいて、前記光源からの光を変調する画像形成部と、を有する。
【０００９】
この構成によれば、光源からの光の０次光の像からの距離が異なる複数の画像領域毎にパラメータを設定し、原画像情報を調整することができるので、画像領域ごとに輝度が異なることによる表示上のムラを効果的に抑制することができる。
【００１０】
好適には、前記パラメータ設定部は、第１の画像領域が第２の前記画像領域に比べて前記０次光の像から遠い場合に、前記第２の画像領域の輝度を高めるように、前記パラメータを前記第１の画像領域に設定する。
【００１１】
この構成によれば、０次光から遠い画像領域については輝度を高めることができるので、通常のままであれば０次光から近い画像領域に比べて輝度が下がってしまう画像領域に対しても、輝度を調整してムラのない画像表示を実現することができる。
【００１２】
好適には、前記パラメータ設定部は、第１の画像領域が第２の前記画像領域に比べて前記０次光の像から近い場合に、前記第２の画像領域の輝度を低下させるように、前記パラメータを前記第１の画像領域に設定する。
【００１３】
この構成によれば、０次光から近い画像領域については輝度を下げることができるので、通常のままであれば０次光から遠い画像領域に比べて輝度が高くなる画像領域に対しても、輝度を調整してムラのない画像表示を実現することができる。
【００１４】
好適には、前記画像情報生成部は、前記原画像情報からホログラム画像情報を生成し、前記画像形成部は、前記ホログラム画像情報について位相変調してホログラム回折光を生成する。
【００１５】
この構成によれば、ホログラム画像についても複数の画像領域毎にパラメータを設定し、原画像情報を調整することができるので、画像領域ごとに輝度が異なることによる表示上のムラを効果的に抑制することができる。
【００１６】
好適には、前記画像領域毎に、相互に異なるタイミングで表示される複数の前記原画像情報が予め用意され、前記画像形成部は、前記複数の画像領域の前記原画像情報を、それぞれに規定されたタイミングで位相変調する。
【００１７】
この構成によれば、画像領域毎に、相互に異なるタイミングで複数の原画像が表示される場合であっても、それぞれのタイミング、画像領域ごとに適切に位相変調することにより、画像領域ごとに輝度が異なることによる表示上のムラを効果的に抑制することができる。
【００１８】
好適には、前記原画像情報には、輝度調整用画像が含まれ、前記画像情報生成部は、前記選択されたパラメータを基に、前記輝度調整用画像を設定する。
【００１９】
この構成によれば、輝度調整用画像を用いることにより、画像の輝度調節を行い、それにより画像領域ごとに輝度が異なることによる表示上のムラを効果的に抑制することができる。
【００２０】
好適には、前記画像形成部によって出力される前記輝度調整用画像を検出し、前記輝度調整用画像の検出結果を基に、前記画像形成部による出力を調整する出力調整部をさらに備える。
【００２１】
この構成によれば、輝度調整用画像の検出と出力のフィードバックにより画像の輝度調節を行うことができるので、それにより画像領域ごとに輝度が異なることによる表示上のムラを効果的に抑制することができる。
【００２２】
好適には、前記パラメータは、前記原画像情報が示す画像の形状、輝度、使用ピクセル数および階調の少なくとも一つを設定するためのパラメータである。
【００２３】
この構成によれば、画像の形状、輝度、使用ピクセル数および階調の少なくとも一つを設定することにより、画像領域ごとに輝度が異なることによる表示上のムラを効果的に抑制することができる。
【発明の効果】
【００２４】
本発明によれば、０次光が存在する画像表示装置であっても、０次光からの距離に応じて画像を領域分けすることにより、領域ごとの輝度ムラを効果的に抑制可能な画像表示装置を提供することができる。
【図面の簡単な説明】
【００２５】
【図１】本発明の実施形態に係る画像表示装置１の機能ブロック図である。
【図２】運転者が虚像を視認する原理を説明するための図である。
【図３】表示領域３００の区分について説明する図である。
【図４】表示領域３００内の輝度調整について説明する図である。
【図５】第１領域３２０、第２領域３３０、第３領域３４０のそれぞれについての輝度調整について説明する図である。
【図６】本発明の実施形態に係る画像表示装置１の処理を説明するフローチャートである。
【発明を実施するための形態】
【００２６】
以下、本発明の実施形態に係る画像表示装置について説明する。図１は、本発明の実施形態に係る画像表示装置１の機能ブロック図である。図２は運転者が虚像を視認する原理を説明するための図である。本実施例の画像表示装置１は、車両（移動体）に搭載されて用いられるヘッドアップディスプレイである。
【００２７】
図１に示すように、画像表示装置１は、例えば、発光部１１、画像形成部１３、フーリエ変換レンズ１５、光拡散部１７、光反射部１９（図中も修正ください）、受光部３１、発光制御部３３、画像メモリ４１、パラメータメモリ４３、パラメータ設定部４５、画像情報生成部４７を有する。
【００２８】
発光部１１は、例えば、虚像表示のためのＲ（赤）とＧ（緑）のそれぞれの可視光を照射する２つのレーザダイオード（ＬＤ）で構成されている光源である。Ｒ（赤）とＧ（緑）の他、Ｂ（青）やＹ（黄）、ＩＲ（赤外）など様々な光を照射することも可能であるが、ここではＲ（赤）とＧ（緑）の光を照射する場合について説明する。発光部１１は、各レーザからの光を画像形成部１３に照射する。発光部１１のレーザーの光出力は発光制御部３３によって制御される。
【００２９】
画像形成部１３は、画像情報生成部４７で生成された表示画像情報に基づいて、発光部１１からのレーザ光を位相変調し、位相変調によって生成されたホログラム回折光をフーリエ変換レンズ１５に照射する。ホログラム回折光は、回折光であるので、０次光、１次光などの形で生成され、その中で１次光が画像表示に用いられる。一方で０次光が最も強い光となる。画像形成部１３が、画像表示画面となる。
【００３０】
画像形成部１３は、例えば、ＬＣＯＳ（Liquid Crystal on Silicon）４９である。ここで、ＬＣＯＳは、一般的にはシリコンのＣＭＯＳ基板上にマトリクス状にＭＯＳ型トランジスタや画素電極を設け、このＣＭＯＳ基板と対向配置した第２の基板の画素電極対向面に光学的に透明の共通電極を設け、上記の２枚の基板間に封入された液晶層からなる反射型液晶表示素子である。画像形成部１３は、ＬＣＯＳに変えて透過型ＬＣＤ等を用いてもよい。
【００３１】
フーリエ変換レンズ１５は、画像形成部１３からのホログラム回折光をフーリエ変換して光拡散部１７に結像させる。
光拡散部１７はディフューザであり、フーリエ変換レンズ１５を介して入射したホログラム回折光を光拡散する。光拡散部１７は、フーリエ変換レンズ１５を介して入射したホログラム回折光を光拡散する。光拡散部１７は、例えば、ディスク状で透過型の光学部品（光学素子）を有している。当該光学部品のうち、光路を横断する光学面を光が透過する際に、場所によって約λ／２程度の光路差（位相差）が発生する。当該光部品は、光軸にほぼ平行な軸を中心に回転駆動される。光拡散部１７により、視認され画質劣化の要因となる光の干渉性のスペクトルノイズが抑制される。
【００３２】
光反射部１９は、拡大ミラーからなり光拡散部１７からの光拡散された光を拡大・歪補正を行ってウィンドウシールドガラス５１に投影する。ウィンドウシールドガラス５１は車両のフロントガラスとして設けられている。
【００３３】
光反射部１９は、図２に示すように、光拡散部１７からの光に応じた表示像を拡大および歪補正を行って、ウィンドウシールドガラス５１に向けて投影し、この表示像を運転者の視点５５の方向に反射させることによって当該表示像を虚像５７として運転者の前方に結像させて運転者に表示像を視認させる。
【００３４】
受光部３１は、フォトダイオード（ＰＤ）であり、光拡散部１７の周囲に設けられ、画像情報生成部４７で生成された表示画像情報に含まれる輝度調整用画像情報に応じた輝度調整画像が照射される位置に設けられている。発光制御部３３は、受光部３１から光強度を入力し、当該光強度が指定された光強度になるように発光部１１の出力をフィードバック制御する。
【００３５】
受光部３１および発光制御部３３は、いわゆるＡＰＣ（Auto Power Control）、出力調整部を構成しており、両者により光強度の制御を行う。当該光強度の指定はパラメータ設定部４５によって行われる。以上のように構成することにより、出力調整部は、画像形成部１３によって出力される輝度調整用画像を検出し、輝度調整用画像の検出結果を基に、画像形成部１３による出力を調整する。
【００３６】
画像メモリ４１は、表示画像の原画像情報を記憶する。当該原画像情報は、例えばＪＰＥＧである。また原画像情報には、輝度調整用画像が含まれる。さらに画像メモリ４１に、画像領域毎に、相互に異なるタイミングで表示される複数の前記原画像情報を予め用意することにより、画像形成部１３は、複数の画像領域の原画像情報を、それぞれに規定されたタイミングで位相変調してもよい。パラメータメモリ４３は、原画像情報を調整（設定）するためのパラメータデータの初期情報を記憶する。
【００３７】
パラメータ設定部４５は、光源からの光の０次光の像からの距離が異なる複数の画像領域毎に、予め用意された原画像情報を調整するためのパラメータを、パラメータメモリ４３に記憶されたパラメータデータを読み出すことにより設定する。ここでのパラメータとして、原画像情報が示す画像の形状、輝度、使用ピクセル数および階調の少なくとも一つを設定するためのパラメータを設定する。
【００３８】
後述の説明では輝度を中心として説明するが、光の強度については輝度に限らず、画像の形状、使用ピクセル、電流量など様々な要素によって制御してもよい。パラメータ設定部４５は、外部入力を基に、パラメータメモリ４３から読み出したパラメータの初期情報を変更設定してもよい。パラメータ設定部４５からの設定情報を、画像情報生成部４７に出力する。
【００３９】
画像情報生成部４７は、パラメータ設定部４５から入力したパラメータを基に、画像メモリ４１から読み出した原画像情報を調整して表示画像情報を生成し、これを画像形成部１３に出力する。輝度調整用画像についても、画像情報生成部４７は、選択されたパラメータを基に設定する。特に画像情報生成部４７は、原画像情報からホログラム画像情報を生成する。この場合画像形成部１３は、ホログラム画像情報について位相変調してホログラム回折光を生成することとなる。
【００４０】
画像表示装置１の動作を説明する。画像表示装置１では、発光部１１からの光が画像形成部１３に入射する。また、画像情報生成部４７において、パラメータ設定部４５から入力したパラメータを基に、画像メモリ４１から読み出した原画像情報を調整して表示画像情報が生成される。
【００４１】
そして、画像形成部１３が、画像情報生成部４７で生成された表示画像情報に基づいて、発光部１１からのレーザ光を位相変調し、ホログラム回折光をフーリエ変換レンズ１５に照射する。そして、光拡散部１７において、ホログラム回折光が拡散され、光反射部１９で指向されてウィンドウシールドガラス５１に照射される。
【００４２】
光反射部１９からウィンドウシールドガラス５１に投射された光は、ウィンドウシールドガラス５１で反射して運転者（搭乗者）の視点５５に到達する。運転者は、ウィンドウシールドガラス５１の前方の地点において、光反射部１９からの光に応じた画像を拡大した虚像（虚像表示像）５７として視認することができる。ここで画像形成部１３の表示面と、光拡散部１７の拡散領域上に形成される画像と、虚像５７とが共役関係にある。
【００４３】
上述のように、ホログラム回折光のうちの１次光が特に画像表示に用いられる一方、０次光については照射強度の強すぎる光であるため、遮蔽するなどの方法でウィンドウシールドガラス５１に到達させないようにしている。しかしながら、１次光は０次光と何の関係もないわけではなく、１次光の中でも、０次光に近い位置にある光と０次光から遠い位置にある光がある。その両者の光の輝度には差が出てくるので、これらをパラメータ設定部４５によって調整する。この調整処理について説明する。
【００４４】
図３は、表示領域３００の区分について説明する図である。ホログラム回折光のうち１次光が表示領域３００に表示される一方で、０次光についても０次光領域３１０に照射される。０次光照射領域３１０は、図示したように表示領域３００の外側にあるが、遮蔽等により表示しないようにしてもよい。
【００４５】
表示領域３００については、第１領域３２０、第２領域３３０、第３領域３４０に分けることができる。左右方向については、０次光照射領域３１０に対応する基準位置３５０から左右に離れるほど０次光から遠くなり、基準位置３５０の方に中心に近づくほど０次光に近くなる。また、矢印３６０に示すように、上に行くほど０次光から遠くなる。したがって、０次光照射領域３１０に対しては、第１領域３２０が最も近く、第２領域３３０がその次に近く、第３領域３４０は最も遠い位置にある。
【００４６】
上述のように表示領域３００を、第１領域３２０、第２領域３３０、第３領域３４０に分けることにより、それぞれの輝度が視点５５から見たときに同等になるように、パラメータ設定部４５により輝度の調整を行う。ここで、第１領域３２０、第２領域３３０、第３領域３４０に同一の輝度で照射した場合、０次光照射領域３１０から最も近い第１領域３２０の輝度が高くなり、第２領域３３０がその次となり、第３領域３４０は最も暗く表示されることとなる。
【００４７】
したがって、パラメータ設定部４５は、０次光照射領域３１０から最も近い第１領域３２０に対して、第２領域３３０はより高い輝度で表示されるように設定し、第３領域３４０は第２領域３３０よりもさらに高い輝度で表示されるように設定する。言い換えるとパラメータ設定部４５は、０次光照射領域３１０から最も遠い第３領域３４０に対して、第２領域３３０はより低い輝度で表示されるように設定し、第１領域３２０は第２領域３３０よりもさらに低い輝度で表示されるように設定する。
【００４８】
図４は、表示領域３００内の輝度調整について説明する図である。表示領域３００内の輝度を調整する際に、表示領域３００の表示枠４００の外側に制御表示領域４１０を設ける。本実施の形態では、ウィンドウシールドガラス５１に赤と緑の画像のみを表示する場合を想定するので、制御表示領域４１０にはＲとＧのみの枠が用意されているが、他の色や光を照射するときには、さらに別の枠を設けることができる。
【００４９】
受光部３１および発光制御部３３は、いわゆるＡＰＣ（Auto Power Control）を構成しており、所定の基準となる部分に照射される光の輝度を検出することにより、輝度が高い場合は光の輝度を下げ、輝度が低い場合には光の輝度を上げる制御を行う。この所定の基準となる部分が、図４の場合は制御表示領域４１０である。発光制御部３３は、制御表示領域４１０における輝度が高いと判定したときは、該当する色について照射強度を下げ、制御表示領域４１０における輝度が低いと判定したときは、該当する色について照射強度を上げる。それを、ＲとＧのそれぞれについて、また第１領域３２０、第２領域３３０、第３領域３４０のそれぞれについて別々に行う。
【００５０】
図５は、第１領域３２０、第２領域３３０、第３領域３４０のそれぞれについての輝度調整について説明する図である。上述のように、本実施形態では第１領域３２０、第２領域３３０、第３領域３４０のそれぞれについて輝度を変えるよう、パラメータ設定部４５により設定することにより、視点５５に入る照射強度が均一になるように制御するものである。
【００５１】
しかしながら、１つの光について全ての領域に対して同時に照射強度を変えることは難しいので、画像形成部１３は、フレーム単位で画像を交互に表示することにより、各画像について輝度を変えながら表示する。つまり、図５（ａ）の画像を表示し消去した後、図５（ｂ）の画像を表示し、消去して図５（ｃ）の画像を表示して消去して、再び図５（ａ）に戻る。
【００５２】
そして、上述のように第１領域３２０、第２領域３３０、第３領域３４０のそれぞれについて輝度を変更して表示するが、図５では、狭い領域の画像表示を説明するために、図３の第３領域３４０に替えて第４領域３４５を用いて説明する。
【００５３】
まず、第１のタイミングにおいて、図５（ａ）に示すように、第１領域３２０の画像を表示する。ここで、パラメータ設定部４５は、制御表示領域４１０に対してＡＰＣ輝度を基準値の６３とする。次の第２のタイミングにおいて、図５（ｂ）に示すように、第２領域３３０の画像を表示する。ここで、パラメータ設定部４５は、制御表示領域４１０に対してＡＰＣ輝度を下げて４９とする。ＡＰＣ輝度を４９と基準値よりも小さくすることにより、受光部３１および発光制御部３３による制御が働いて、輝度を第２領域３３０の輝度を上げるように動作する。その結果、画像形成部１３からの出力は第１領域３２０に対する出力よりも高い輝度となる。
【００５４】
次の第３のタイミングにおいて、図５（ｃ）に示すように、第４領域３４５の画像を表示する。第４領域３４５は、第１領域３２０、第２領域３３０と比べて０次光照射領域３１０から遠いのであるが、その一方で、第１領域３２０、第２領域３３０と比べて領域が狭い。ホログラム光学系の場合、領域が狭いと、表示される輝度はかえって高くなるので、その分輝度を下げる必要がある。
【００５５】
したがって、パラメータ設定部４５は、ＡＰＣ輝度を基準値の６３よりも小さく設定する一方で、領域の狭さを考慮した分ＡＰＣ輝度を上げるよう設定しておく。パラメータ設定部４５は、そのバランスを取ってＡＰＣ輝度を６２とすることにより、基準値の６３よりも小さい分高い輝度の出力としながら、その増分は抑える。その結果、０次光照射領域３１０から遠い分の輝度の低下を、領域の狭さによって相殺することにより、パラメータ設定部４５は、最終的に視点５５に入る輝度の高さを第１領域３２０の輝度と同じに設定する。
【００５６】
もちろん、図３の第３領域３４０の場合であれば、特に領域を狭くしていないので、０次光照射領域３１０からの距離のみを考慮して、パラメータ設定部４５は、ＡＰＣ輝度を第２領域３３０と比べてさらに下げ、その結果、出力強度を第２領域３３０と比べてさらに上げるよう設定する。
【００５７】
図６は、本発明の実施形態に係る画像表示装置１の処理を説明するフローチャートである。まず、パラメータ設定部４５は、表示領域３００を、第１領域３２０、第２領域３３０、第３領域３４０（または第４領域３４５）に分割しておく（ステップＳ１０）。そして、パラメータ設定部４５は、第１領域３２０、第２領域３３０、第３領域３４０（または第４領域３４５）のそれぞれについて、ブロック単位で電流基準値を設定する（ステップＳ１１）。ここでは電流基準値を設定することとして説明するが、ＡＰＣ輝度を設定する構成とすることもできる。
【００５８】
次に、各ブロックについて、発光制御部３３は、電流量・輝度を測定する（ステップＳ１２）。第１領域３２０、第２領域３３０、第３領域３４０（または第４領域３４５）の順にループしながら測定・修正を繰り返しながら表示していくが、このうちの所定のブロックについて測定を行う。
【００５９】
次に、カメラ６８によって、ユニフォーミティについて判定を行う（ステップＳ１３）。すなわち、カメラ６８によって観測される各画像ブロックの輝度が均一となっているか否かであり、このユニフォーミティ（カメラ６８にて観測される図３の３２０，３３０，３４０のそれぞれの領域の各ブロックの輝度の均一性）について特に問題がなければステップＳ１５に進むが、設定された通りとなっていなければ、パラメータを修正する（ステップＳ１４）。
【００６０】
そして、画像形成部１３は、各ブロックについての表示を行い（ステップＳ１５）、第１領域３２０、第２領域３３０、第３領域３４０（または第４領域３４５）のいずれかに画像表示を行う。そして、終了したか否かを判定する（ステップＳ１６）。終了の場合は、そのまま終了処理とするが、終了でない場合、現在第１領域３２０について処理を行っている場合は、第２領域３３０についての処理に移る。第２領域３３０について処理を行っている場合、第３領域３４０（または第４領域３４５）についての処理に移る。第３領域３４０（または第４領域３４５）について処理を行っている場合は、第１領域３２０についての処理に戻りながら、各ブロックについて順に表示処理を行っていく。
【００６１】
以上のように、本実施の形態では、光源からの光の０次光の像からの距離が異なる複数の画像領域毎にパラメータを設定し、原画像情報を調整することができるので、出力する光の強度を領域ごとに変えることができる。領域ごとに光の強度を変えることにより、０次光の像の影響による利用者に到達する光の強度のばらつきを補正することができる。その結果、画像領域ごとに輝度が異なることによる表示上のムラを効果的に抑制することができる。
【００６２】
特に、０次光から遠い画像領域については輝度を高めることができるので、通常のままであれば０次光から近い画像領域に比べて輝度が下がってしまう画像領域に対しても、輝度を調整してムラのない画像表示を実現することができる。また、０次光から近い画像領域については輝度を下げることができるので、通常のままであれば０次光から遠い画像領域に比べて輝度が高くなる画像領域に対しても、輝度を調整してムラのない画像表示を実現することができる。
【００６３】
輝度の調整については、ＡＰＣにより調整することができ、ブロックごとに異なるフレームで表示を繰り返しながら、各ブロックについて異なる輝度による出力をすることにより、利用者にとっては均一な輝度で画像を見ることができる。
【００６４】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【００６５】
本発明は、ヘッドアップディスプレイ（ＨＵＤ）に適用可能であるが、この他、ホログラムを利用した虚像を表示する画像表示装置にも幅広く利用することが可能である。
【符号の説明】
【００６６】
１…画像表示装置
１１…発光部
１３…画像形成部
１５…フーリエ変換レンズ
１７…光拡散部
１９…光反射部
３１…受光部
３３…発光制御部
４１…画像メモリ
４３…パラメータメモリ
４５…パラメータ設定部
４７…画像情報生成部
５１…ウィンドウシールドガラス
【図１】
2016177007.tif 000003
【図２】
2016177007.tif 000004
【図３】
2016177007.tif 000005
【図４】
2016177007.tif 000006
【図５】
2016177007.tif 000007
【図６】
2016177007.tif 000008